(57)【要約】【課題】使用者が蓋体を開き集塵容器内の塵埃を廃棄する際に、蓋体に細塵が留まることを十分に防止し、確実に細塵を廃棄することができる集塵容器及びこの集塵容器を備えた電気掃除機の提供。【解決手段】集塵装置本体と、粗塵を捕集する一次フィルターを有する集塵室と、集塵室の後方に配置されており、一次フィルターを通過した細塵を捕集する二次フィルターと、当該二次フィルターによって捕集された細塵を蓄積する細塵室と、集塵装置本体の下部に開閉自在に軸支されており、集塵室及び細塵室を覆う蓋体とを有する集塵装置において、蓋体の細塵室の開口部に対向する位置に傾斜部を設けた。【選択図】図４
2011104223.tif 000002
【特許請求の範囲】
【請求項１】
前方に吸気口が設けられた集塵装置本体と、
前記集塵装置本体の内部に設けられており、下面に開口部が設けられており、粗塵を捕集する一次フィルターを有する集塵室と、
前記集塵室の後方に配置されており、前記一次フィルターを通過した細塵を捕集する二次フィルターと、
下面に開口部が設けられており、前記二次フィルターによって捕集された細塵を蓄積する細塵室と、
前記集塵装置本体の下面に開閉自在に軸支されており、前記集塵室の前記開口部及び前記細塵室の前記開口部を覆う蓋体と、を有しており、
前記細塵室の前記開口部に対向する位置の前記蓋体には傾斜面が設けられていることを特徴とする集塵装置。
【請求項２】
前記細塵室には、前記蓋体の前記傾斜面から垂直に延出した複数のリブが設けられている請求項１に記載の集塵装置。
【請求項３】
前記集塵室の前記開口部に対向する位置の前記蓋体の前方には、前記集塵装置本体の前方から後方に向かって傾斜する傾斜面が設けられている請求項１または２に記載の集塵装置。
【請求項４】
前記蓋体の前記集塵室の前記開口部及び前記細塵室の前記開口部と接する部分には、パッキンが設けられている請求項１〜３のうちの何れか１項に記載の電気掃除機。
【請求項５】
請求項１〜４のうちの何れか１項に記載の集塵装置を有する電気掃除機。
【発明の詳細な説明】
【技術分野】
【０００１】
本発明は、電気掃除機に関するもので、特に電気掃除機の集塵装置に関する。
【背景技術】
【０００２】
使用者の生活空間の塵埃を掃除する電気掃除機の分野においては、使用者の使い勝手を向上させるべく、様々な構成が提案されてきた。
【０００３】
例えば、サイクロン式掃除機においては、使用者の使い勝手を向上させるという観点から、集塵装置の下部に蓋が設けられており、この蓋を開成することで集塵装置内の塵埃を廃棄できる構成を有する集塵装置が提案されている。
【０００４】
このような集塵装置としては、粗塵を蓄積する集塵室と、細塵を蓄積する細塵室と、集塵装置の下面に回動自在に設けられており、集塵室と細塵室とを覆う蓋体と、蓋体を開くことで集塵室及び細塵室に蓄積された塵埃を廃棄できる構成を有する集塵容器（集塵装置）が知られている（例えば特許文献１参照）。
【先行技術文献】
【特許文献】
【０００５】
【特許文献１】特開２００８−２０６７３８号公報
【発明の概要】
【発明が解決しようとする課題】
【０００６】
しかしながら、上記従来の集塵容器においては、使用者の使い勝手を向上させるという観点からは未だ改善の余地があった。
【０００７】
すなわち、上述の構成では、使用者が集塵容器の下部に設けられた蓋体を開き、集塵容器内の塵埃を捨てる際に、細塵が蓋体に残ってしまい、細塵の廃棄を十分に行うことができず、使用者がブラシ等を使用して、蓋体に残った細塵を掻き出す必要があった。
【０００８】
本発明は、上記従来技術の有する課題に鑑みてなされたものであり、使用者が蓋体を開き集塵容器内の塵埃を廃棄する際に、蓋体に細塵が留まることを十分に防止し、確実に細塵を廃棄することができる集塵容器及びこの集塵容器を備えた電気掃除機を提供することを目的とする。
【課題を解決するための手段】
【０００９】
上記従来技術の有する課題を解決するために、本発明は、
前方に吸気口が設けられた集塵装置本体と、
集塵装置本体の内部に設けられており、下面に開口部が設けられており、粗塵を捕集する一次フィルターを有する集塵室と、
集塵室の後方に配置されており、一次フィルターを通過した細塵を捕集する二次フィルターと、
下面に開口部が設けられており、二次フィルターによって捕集された細塵を蓄積する細塵室と、
集塵装置本体の下面に開閉自在に軸支されており、集塵室の開口部及び細塵室の開口部を覆う蓋体と、を有しており、
細塵室の開口部に対向する位置の蓋体には傾斜面が設けられていることを特徴とする集塵装置を提供する。
【００１０】
これにより、使用者が蓋体を開き集塵容器内の塵埃を廃棄する際に、細塵室に蓄積された細塵が傾斜部を伝って蓋体の外部に廃棄されるため、蓋体に細塵が留まることがなく、確実に細塵を廃棄することができる。
【００１１】
また、本発明の集塵容器においては、細塵室には、蓋体の傾斜面から垂直に延出した複数のリブが設けられていることが好ましい。
【００１２】
これにより、細塵室内の横方向からの風の流れを遮断し、細塵室内の細塵の舞い上がりを十分に防止することができる。
【００１３】
さらに、本発明の集塵容器においては、集塵室の開口部に対向する位置の蓋体の前方には、集塵装置本体の前方から後方に向かって傾斜する傾斜面が設けられていることが好ましい。
【００１４】
これにより、使用者が蓋体を開き集塵容器内の塵埃を廃棄する際に、集塵室に蓄積された粗塵が傾斜部を伝って蓋体の外部に廃棄されるため、蓋体に細塵が留まることを十分に防止でき、確実に粗塵を廃棄することができる。
【００１５】
また、本発明の集塵容器においては、蓋体の集塵室の開口部及び細塵室の開口部と接する部分には、パッキンが設けられていることが好ましい。
【００１６】
これにより、蓋体によって集塵室の開口部及び細塵室の開口部を密閉することができるため、集塵室の開口部及び細塵室の開口部から塵埃が漏れることを十分に防止することができる。
【００１７】
さらに本発明は、請求項１〜４のうちの何れか１項に記載の集塵装置を有する電気掃除機を提供する。
【００１８】
これにより、使い勝手のよい電気掃除機を提供することができる。
【発明の効果】
【００１９】
本発明によれば、使用者が蓋体を開き集塵容器内の塵埃を廃棄する際に、蓋体に細塵が留まることを十分に防止でき、確実に粗塵を廃棄することができる清潔で使い勝手のよい集塵装置及びこの集塵装置を備えた電気掃除機を提供することができる。
【図面の簡単な説明】
【００２０】
【図１】本発明の集塵装置を備えた電気掃除機の全体斜視図
【図２】（ａ）本発明の集塵装置の第１実施形態における蓋体を閉めた状態を示す斜視図（ｂ）本発明の集塵装置の第１実施形態におけるカバー及び蓋体を開けた状態を示す斜視図
【図３】本発明の集塵装置の第１実施形態における掃除機本体に収納された状態の上流フィルター中心軸での正面断面図
【図４】本発明の集塵装置の第１実施形態における塵埃廃棄時の様子を示す断面図
【図５】本発明の集塵装置の第２実施形態における細塵室の斜視図
【発明を実施するための形態】
【００２１】
以下、図面を参照しながら本発明の便座装置の好適な実施形態について詳細に説明する。なお、以下の説明では、同一または相当部分には同一符号付し、重複する説明は省略する。
【００２２】
（第１実施形態）
本発明の集塵装置の第１実施形態について図１〜図４を用いて説明する。
【００２３】
図１は、本発明の集塵装置を備えた電気掃除機の全体斜視図である。また、図２（ａ）は、本発明の集塵装置の第１実施形態における蓋体を閉めた状態を示す斜視図であり、図２（ｂ）は、本発明の集塵装置の第１実施形態におけるカバー及び蓋体を開けた状態を示す斜視図である。さらに、図３は、本発明の集塵装置の第１実施形態における掃除機本体に収納された状態の上流フィルター中心軸での正面断面図である。また、図４は、本発明の集塵装置の第１実施形態における塵埃廃棄時の様子を示す断面図である。
【００２４】
図１に示すように、電気掃除機１００は、主として、掃除機本体１と、ホース２と、接続パイプ３と、延長管４と、吸込具５とから構成されている。
【００２５】
掃除機本体１は、主として、掃除機本体１の後部に配置され塵埃を吸引するための電動送風機６と、この電動送風機６の前方に設けられており、電動送風機６によって吸引された塵埃を集塵する集塵装置７とから構成されている。また、掃除機本体１の前方には、ホース２を接続するための吸入口（図示せず）が設けられている。
【００２６】
ホース２は、一端が掃除機本体１の吸入口（図示せず）に接続されており、他端が接続パイプ３に接続されている。また、接続パイプ３のホース２に接続される側の反対側の他端には、延長管４が接続されている。また、接続パイプ３には、使用者が保持するための取手（図示せず）が設けられている。
【００２７】
延長管４は、一端が接続パイプ３に接続されており、他端が吸込具５に接続されている。この吸込具５には、塵埃を吸引するための開口部（図示せず）が設けられており、この吸込具５の開口部（図示せず）から吸込まれた塵埃は、延長管４、接続パイプ３、及びホース２を介して集塵装置７に集塵される。
【００２８】
図２〜４に示すように、集塵装置７は、主として、外郭を構成する集塵ケース（集塵装置本体）８と、カバー９と、上流フィルター（一次フィルター）１２と、下流フィルター（二次フィルター）１０と、蓋体１１とから構成されている。
【００２９】
集塵ケース８の前方には、掃除機本体１の吸入口と連通する吸気口２６が設けられている。また、集塵ケース８の両側面には、後述するカバー９の側部尾錠１５が嵌合する嵌合部１８が設けられている。さらに、集塵ケース８の後方の下部には、後述する下流フィルター１０のフィルター軸２８と嵌合する軸受け部３２が設けられている。
【００３０】
カバー９は、集塵ケース８の上面に、集塵ケース８の上面の開口部を塞ぐように設けられている。カバー９の両側面には、側部尾錠１５が設けられており、この側部尾錠１５と集塵ケース９の嵌合部１８が嵌合することにより、集塵ケース８にカバー９が固定される。また、集塵ケース８のカバー９の下面と接する部分にはパッキンＢ２０が設けられており、集塵ケース８のカバー９の後面と接する部分にはパッキンＣ３０が設けられており、このパッキンＢ２０及びパッキンＣ３０により、集塵ケース８とカバー９とは密閉される。さらに、カバー９の上面には、使用者が保持するための保持部２１が設けられている。また、カバー９の上面の後部には、後述する下流フィルター１０の係止部１６と嵌合する上部尾錠１４が設けられている。さらに、カバー９の下面には、複数の貫通孔２５を有する円筒状の上流フィルター１２が設けられており、この上流フィルター１２は集塵ケース８内部に挿入されている。ここで、上流フィルター１２は、カバー９と一体に成形されていてもよく、カバー９に着脱自在に設けられていてもよい。
【００３１】
上流フィルター１２は、主として、排気筒２２と、延出部２３と、フランジ部２４とから構成されており、この排気筒２２と延出部２３との間には、仕切り板３１が設けられている。この仕切り板３１を境界として、仕切り板３１の上方（カバー９と仕切り板３１との間）には分離室（図示せず）、仕切り板３１の下方（仕切り板３１と後述する蓋体１１との間）には下方に開口部（図示せず）を有する集塵室（図示せず）が形成されている。
【００３２】
集塵ケース８の後部には、集塵ケース８の後部を塞ぐように、下流フィルター１０が設けられている。下流フィルター１０の集塵ケース８側には、プリーツフィルター２９が設けられている。また、このプリーツフィルター２９の集塵ケース８側と反対側には、プリーツフィルター２９によって捕集された細塵を除塵する除塵レバー３３と、この除塵レバー３３を固定するレール状のホルダー３４が設けられている。さらに、プリーツフィルター２９の下面と後述する蓋体１１との間には、下方に開口部（図示せず）を有し、プリーツフィルター２９により捕集された細塵を蓄積する細塵室３５が形成されている。
【００３３】
下流フィルター１０の上面には、集塵ケース８の上部尾錠１４と嵌合する係止部１６が設けられている。また、下流フィルター１０の下面には、集塵ケース８の軸受け部３２と嵌合するフィルター軸２８が設けられている。下流フィルター１０は、係止部１６及びフィルター軸２８が上部尾錠１４及び軸受け部３２に嵌合することにより集塵ケース８に固定される。
【００３４】
蓋体１１は、集塵ケース８の下面に、集塵ケース８の下面の開口部（集塵室の開口部及び細塵室の開口部）を塞ぐように設けられている。蓋体１１の後端部には、蓋体１１を集塵ケース８に開閉自在に軸支する軸部１３が設けられている。また、蓋体１１の前端部には、蓋体１１を閉めた状態において、蓋体１１を集塵ケース８に固定するためのストッパー１７が設けられている。さらに、蓋体１１の集塵ケース８の下面の開口部に接する部分にはパッキンＡが設けられており、このパッキンＡにより、蓋体１１を閉じた状態において、集塵ケース８と蓋体１１とは密閉される。
【００３５】
蓋体１１の前方の集塵室（図示せず）の開口部に対向する位置には、蓋体１１の前方から後方に向かって蓋体１１の下方向に傾斜した傾斜部Ａ４４が設けられている。また、蓋体１１の後方の細塵室３５の開口部に対応する位置には、蓋体１１の前方から後方に向かって蓋体１１の下方向に傾斜した傾斜部Ｂ４５が設けられている。
【００３６】
以上のように構成された集塵装置について、以下その動作、作用を説明する。
【００３７】
図１〜図４に示すように、使用者が掃除機本体１に、ホース２、接続パイプ３、延長管４、及び吸込具５を接続して掃除を行う場合、使用者が、電気掃除機１００の電源を入れることで、掃除機本体１内の電動送風機６が動作し、吸込具５の開口部（図示せず）から塵埃が吸込まれる。吸込具５の開口部（図示せず）から吸込まれた塵埃は、延長管４、接続パイプ３、及びホース２を介して集塵装置７の吸気口２６から集塵装置７内部に流入する。
【００３８】
図３中の矢印で示すように、吸気口２６（図２参照）から吸込まれた塵埃を含む空気は、集塵ケース８と集塵ケース８内部に設けられている壁部３９とによって形成されている流路（図示せず）によって、上流フィルター１２側へ誘導され、分離室（図示せず）内に流入する。分離室内に流入した塵埃を含む空気は、分離室内で排気筒２２によって細塵と粗塵に遠心分離され、塵埃から遠心分離された粗塵が集塵室（図示せず）に蓄積される。
【００３９】
分離室にて遠心分離されない細塵を含む空気は、上流フィルター１２に設けられた複数
の貫通孔２５から吸気通路Ｂ３８及び吸気通路３７を通って下流フィルター１０に配設されたプリーツフィルター２９を透過する。このとき、分離室にて遠心分離されない細塵は、プリーツフィルター２９によって捕集される。プリーツフィルター２９によって捕集された細塵は、プリーツフィルター２９の集塵ケース８側と反対側に配設された除塵レバー３３をレール状のホルダー３４に沿って動かしてプリーツフィルター２９を振動させることにより、プリーツフィルター２９によって捕集された細塵をプリーツフィルター２９から除去することができる。プリーツフィルター２９から除去された細塵は、細塵室３５に蓄積される。
【００４０】
図４に示すように、使用者が、集塵装置７内の塵埃を捨てる場合、使用者は、集塵装置７を掃除機本体１から取り外し、蓋体１１のストッパー１７を外すことで、蓋体１１が軸部１３を中心に約９０度回動し、集塵室及び細塵室に蓄積された塵埃を捨てることができる。
【００４１】
このとき、蓋体１１の後方の細塵室３５の開口部に対応する位置には、蓋体１１の前方から後方に向かって蓋体１１の下方向に傾斜した傾斜部Ｂ４５が設けられているため、使用者が集塵装置７内の塵埃を捨て際、細塵室３５に蓄積された細塵４３が蓋体１１に留まることを十分に防止することができ、細塵４３を粗塵４２と同時に確実に捨てることができる。また、蓋体１１の前方の集塵室（図示せず）の開口部に対向する位置には、蓋体１１の前方から後方に向かって蓋体１１の下方向に傾斜した傾斜部Ａ４４が設けられているため、粗塵４２が傾斜部Ａを伝って捨てやすくなっている。このため、集塵室に蓄積された粗塵４２が蓋体１１に留まることを十分に防止することができ、粗塵を確実に捨てることができる。
【００４２】
（第２実施形態）
本発明の集塵装置の第２実施形態について、図５を用いて説明する。なお、第１実施形態と同一部分については同一符号を付してその説明を省略する。図５は、本発明の集塵装置の第１実施形態における細塵室の斜視図である。
【００４３】
図５に示すように、蓋体１１の後方の細塵室３５の開口部に対応する位置には、複数のリブ４０が設けられている。
【００４４】
この構成により、蓋体１１に設けられたリブ４０によって細塵室３５が分割されるため、
電動送風機６の吸引によって発生する横からの風をリブ４０によって遮断することができる。このため、リブ４０によって分割された細塵室３５に蓄積された細塵４３が、電動送風機６の吸引によって発生する横からの風によって舞い上がり、プリーツフィルター２９に再度着することを防ぐことができる。
【００４５】
ここで、本実施形態においては、蓋体１１の後方の細塵室３５の開口部に対応する位置に複数のリブ４０が設けられている構成について説明したが、細塵室３５がリブ４０により複数に分割されていればよく、例えば、集塵ケース８から下流フィルター１０に向かってリブ４０を形成してもよく、また、下流フィルター１０から集塵ケース８に向かってリブ４０を形成してもよい。
【００４６】
以上、本発明の第１実施形態及び第２実施形態の集塵装置について説明したが、本発明の集塵装置は上述した第１実施形態及び第２実施形態の集塵装置に限定されるものではない。
【００４７】
例えば、蓋体１１に設けられた傾斜部Ｂは、蓋体１１の前方から後方に向かって蓋体１
１の下方向に傾斜した構成について説明したが、蓋体１１の後方の細塵室３５の開口部に対応する位置が傾斜していればよく、傾斜部Ｂは、後方から前方に向かって蓋体１１の下方向に傾斜していてもよい。このような構成にしても、細塵室３５に蓄積された細塵４３が蓋体１１内に留まることを十分に防止でき、細塵を確実に捨てることができる。
【産業上の利用可能性】
【００４８】
本発明の集塵装置およびこの集塵装置を備えた電気掃除機は、集塵装置内に蓄積された塵埃が蓋体に留まることを十分に防止し、塵埃を確実に捨てること可能となるので、家庭、業務用等の電気掃除機の分野・用途に好適に適用することができる。
【符号の説明】
【００４９】
１  電気掃除機本体
２  ホース
３  接続パイプ
４  延長管
５  吸込具
６  電動送風機
７  集塵装置
８  集塵ケース
９  カバー
１０  下流フィルター
１１  蓋体
１２  上流フィルター
１３  軸部
１４  上部尾錠
１５  側部尾錠
１６  係止部
１７  ストッパー
１８  嵌合部
１９  パッキンＡ
２０  パッキンＢ
２１  保持部
２２  排気筒
２３  延出部
２４  フランジ部
２５  貫通孔
２６  吸気口
２８  フィルター軸
２９  プリーツフィルター
３０  パッキンＣ
３１  仕切り板
３２  軸受け部
３３  除塵レバー
３４  ホルダー
３５  細塵室
３７  吸気通路Ａ
３８  吸気通路Ｂ
３９  壁面
４０  リブ
４２  粗塵
４３  細塵
４４  傾斜部Ａ
４５  傾斜部Ｂ
【図１】
2011104223.tif 000003
【図２】
2011104223.tif 000004
【図３】
2011104223.tif 000005
【図４】
2011104223.tif 000006
【図５】
2011104223.tif 000007